(57)【特許請求の範囲】
【請求項１】
複数の端子金具と、可撓性および導電性を有し、前記複数の端子金具を繋ぐ可撓性導電部材とを備えた端子と、
前記複数の端子金具のうち一方の端子金具を内部に収容する端子収容室を有し、前記可撓性導電部材が前記端子収容室から導出された状態で前記端子を保持するハウジングと、
前記ハウジングに組み付けられる組付部材とを備え、
前記組付部材が、前記ハウジングに組み付けられて前記一方の端子金具の前記端子収容室からの離脱を規制するリテーナ部と、前記リテーナ部から連なり、前記可撓性導電部材を保持する導電部材保持部と、前記導電部材保持部から連なり、前記複数の端子金具のうち他方の端子金具に係止することで前記他方の端子金具の位置決めを行う端子位置決め部とを備えるコネクタ。
【請求項２】
前記他方の端子金具が、前記可撓性導電部材が接続されている側の端縁に近づくほど外側に拡がるベルマウスを有しており、
前記端子位置決め部が、前記ベルマウスに係止されている、請求項１に記載のコネクタ。
【発明の詳細な説明】
【技術分野】
【０００１】
本明細書によって開示される技術は、コネクタに関する。
【背景技術】
【０００２】
電気自動車やハイブリッド車に搭載されるインバータ等の機器は、機器ケースに収容され、機器ケースには、他の機器との接続のためのコネクタが組み付けられている。このようなコネクタとして、相手側端子と接続される接続端子と、機器と接続される機器端子とを備えるコネクタがある。接続端子と機器端子とは、編組線などの可撓性の大きな材料により構成された連結部によって接続されている（特許文献１参照）。
【先行技術文献】
【特許文献】
【０００３】
【特許文献１】特開２０１１−３４９３５号公報
【発明の概要】
【発明が解決しようとする課題】
【０００４】
上記の構成のコネクタでは、連結部が可撓性の大きな材料により構成されているために、機器端子の位置が不安定となるという問題があった。
【課題を解決するための手段】
【０００５】
本明細書によって開示されるコネクタは、複数の端子金具と、可撓性および導電性を有し、前記複数の端子金具を繋ぐ可撓性導電部材とを備えた端子と、前記複数の端子金具のうち一方の端子金具を内部に収容する端子収容室を有し、前記可撓性導電部材が前記端子収容室から導出された状態で前記端子を保持するハウジングと、前記ハウジングに組み付けられる組付部材とを備え、前記組付部材が、前記ハウジングに組み付けられて前記一方の端子金具の前記端子収容室からの離脱を規制するリテーナ部と、前記リテーナ部から連なり、前記可撓性導電部材を保持する導電部材保持部と、前記導電部材保持部から連なり、前記複数の端子金具のうち他方の端子金具に係止することで前記他方の端子金具の位置決めを行う端子位置決め部とを備える。
【０００６】
上記の構成によれば、組付部材によって他方の端子金具の位置決めを容易に行うことができる。
【０００７】
上記の構成において、前記他方の端子金具が、前記可撓性導電部材が接続されている側の端縁に近づくほど外側に拡がるベルマウスを有しており、前記端子位置決め部が、前記ベルマウスに係止されていても構わない。
【０００８】
上記の構成によれば、他方の端子金具が有するベルマウスを端子の位置決めに利用できるから、他方の端子金具に位置決めのための新たな構成を付加する必要がなく、構造の複雑化を避けることができる。
【発明の効果】
【０００９】
本明細書によって開示される技術によれば、可撓性を有する部材に接続されている端子金具の位置決めを容易に行うことができる。
【図面の簡単な説明】
【００１０】
【図１】実施形態のコネクタの正面図
【図２】実施形態のコネクタの平面図
【図３】実施形態のコネクタの側面図
【図４】図１のＡ−Ａ線断面図
【図５】図４の円Ｒ１内の拡大図
【図６】図１のＢ−Ｂ線断面図
【図７】ハウジングに第１組付部材を組み付けた状態を示す正面図
【図８】図７の円Ｒ２内の拡大図
【発明を実施するための形態】
【００１１】
実施形態を図１〜図８を参照しつつ説明する。本実施形態のコネクタは、内部にインバータを収容するインバータケース（図示せず）に取り付けられるインバータ用コネクタ１（以下、「コネクタ１」と略記することがある）である。インバータケースは、内部にモータを収容するモータケース（図示せず）上に載置されて結合され、その際に、モータケースに組み付けられているモータ用コネクタがインバータ用コネクタ１に嵌合されるようになっている。
【００１２】
インバータ用コネクタ１は、３極のコネクタであって、図１に示すように、３本のインバータ端子１０（端子に該当）と、ハウジング２０と、ブラケット３０と、組付部材４０とを備えて構成されている。
【００１３】
インバータ端子１０は、図４に示すように、インバータの出力端子（図示せず）と接続される機器端子１１（端子金具に該当）と、モータ用コネクタに備えられるモータ端子と接続される接続端子１４（端子金具に該当）とが、編組線１７（可撓性導電部材に該当）を介して繋がれた構造である。
【００１４】
機器端子１１は、金属板を打ち抜き加工および曲げ加工して形成された部材であって、インバータの出力端子に接続される機器接続部１２と、この機器接続部１２から連なるバレル部１３とを備えている。接続端子１４は、金属板を打ち抜き加工および曲げ加工して形成された部材であって、モータ用コネクタに備えられる雄端子に接続される端子接続部１５と、この端子接続部１５から連なるバレル部１６とを備えている。
【００１５】
編組線１７は、銅または銅合金からなる複数の細い金属素線を網目状に編み込んで筒状とした部材であって、導電性及び可撓性を有している。編組線１７の両端部のうち一端部は機器端子１１のバレル部１３に固着され、他端部は接続端子１４のバレル部１６に固着されている。
【００１６】
機器端子１１のバレル部１３は、底板１３Ａと、底板１３Ａから立ち上がり、互いに向かい合って配置される一対のバレル片１３Ｂとを有している。底板１３Ａに編組線１７の端末を載置し、一対のバレル片１３Ｂを編組線１７に対して加締め付けることで、編組線１７の端末がバレル部１３に固着される。
【００１７】
バレル部１３は、２つのベルマウス１３ＢＭを有している。ベルマウス１３ＢＭは、バレル片１３Ｂが完全に加締められていない部分であって、１つがバレル部１３の機器接続部１２に隣接する端部に、もう１つがその反対側の端部（編組線１７が導出される側の端部）にそれぞれ配置されている。編組線１７が導出されている側のベルマウス１３ＢＭ（図４の下側のベルマウス）は、編組線１７が導出されている側の端縁（図４の下側の端縁）に近づくにつれて外側（底板１３Ａから離れる方向）に向かって斜めに延びている。機器接続部１２側のベルマウス１３ＢＭも、端縁に近づくにつれて外側に向かって斜めに延びている。
【００１８】
接続端子１４のバレル部１６も、機器端子１１のバレル部１３と同様の構成を有している。
【００１９】
ハウジング２０は、合成樹脂製であって、図１および図３に示すように、ハウジング本体２１と、フランジ部２７とを有している。ハウジング本体２１は、相手側であるモータ用コネクタに嵌合可能な長円柱状の部分であって、長円形の外形を有し、互いに向かいあって配置される２つの端面（嵌合面２２および機器面２３）と、これら２つの面の外周縁同士を結ぶ外周面２４とを有している。
【００２０】
ハウジング本体２１の内部には、図４および図６に示すように、機器面２３から嵌合面２２まで貫通する端子収容室２５が３個並んで配置されている。各端子収容室２５は、図４に示すように、機器面２３および嵌合面２２に開口部２５Ｅ１、２５Ｅ２を有し、両開口部２５Ｅ１、２５Ｅ２の開口縁の間を繋ぐ内周壁２５Ｉによって定義される空間である。各端子収容室２５の内部には、各インバータ端子１０の接続端子１４がそれぞれ収容されている。編組線１７は、機器面２３側の開口部２５Ｅ１からハウジング本体２１の外部に導出されており、編組線１７と機器端子１１とがハウジング２０の外部に配置されている。
【００２１】
各端子収容室２５の内部には、図４に示すように、ランス２６が配置されている。ランス２６は、端子収容室２５の内周壁２５Ｉから嵌合面２２に向かって斜めに延びる部分であって、内周壁２５Ｉに接続している基端部を支点として、内周壁２５Ｉに対して接近又は離間する方向へ弾性撓みすることが可能となっている。このランス２６に接続端子１４が係止することにより、接続端子１４が一次係止される。
【００２２】
各端子収容室２５の内周壁２５Ｉは、図４に示すように、機器面２３から連なり、他の部分よりも外側に拡がった拡径部２５Ｌを有しており、この拡径部２５Ｌには、ゴム栓Ｒが嵌め込まれている。ゴム栓Ｒは、ゴム製の円環状の部材であって、内部に編組線１７が挿通されている。
【００２３】
フランジ部２７は、図１および図３に示すように、ハウジング本体２１の外周面２４から外側に向かって突出する鍔状の部分であって、機器面２３に近接して配置されている。
【００２４】
ハウジング２０は、図６および図７に示すように、組付部材４０の組み付けのための４つの嵌合受部２８を有している。各嵌合受部２８は、ハウジング２０の外周面２４を基準として内側に凹む凹部である。
【００２５】
ブラケット３０は、金属製の板状の部材であって、ハウジング挿通孔３１と、２つのねじ挿通孔３２を有している。ハウジング挿通孔３１は、図３に示すように、ブラケット３０の一方の板面から他方の板面まで貫通する孔であって、内部にハウジング本体２１を挿通可能とされている。２つのねじ挿通孔３２は、図２に示すように、ブラケット３０の一方の板面から他方の板面まで貫通する孔であって、ブラケット３０をインバータケースにねじ止めするためのねじを挿通可能とされている。
【００２６】
組付部材４０は、合成樹脂製であって、図３および図６に示すように、互いに組み付けられる第１組付部材５１と第２組付部材７１とで構成されている。まず、組付部材４０の構成の概略について説明する。
【００２７】
第１組付部材５１は、主壁部５２と、主壁部５２から連なる２つの側壁部５３、および立設壁部５６と、主壁部５２および立設壁部５６から連なる３つの延長部５５Ａ、５５Ｂ、５５Ｃと、３つの延長部５５Ａ、５５Ｂ、５５Ｃのそれぞれから連なる３つの端子保持部６１Ａ、６１Ｂ、６１Ｃと、主壁部５２から立ち上がる３対の絶縁壁５７Ａ、５７Ｂ、５７Ｃと、６つのロック受け部５８と、２つの嵌合突部５９とを有している。主壁部５２の一部は第１リテーナ部５４となっている。
【００２８】
第２組付部材７１は、カバー壁部７２と、３つの延長カバー部７４Ａ、７４Ｂ、７４Ｃと、３つの端子カバー部７５Ａ、７５Ｂ、７５Ｃと、６つのロック片（図示せず）と、２つの嵌合突部７８とを有している。カバー壁部７２の一部は第２リテーナ部７３となっている。
【００２９】
組付部材４０において、図３に示すように、第１リテーナ部５４と第２リテーナ部７３とが組み合わせられて、接続端子１４の端子収容室２５からの離脱を規制するリテーナ部４１を構成している。また、端子保持部６１Ｂと、端子カバー部７５Ｂとが組み合わせられて、機器端子１１の位置決めを行う端子位置決め部４２Ｂを構成している。同様に、端子保持部６１Ａと端子カバー部７５Ａとが組み合わせられて、機器端子１１の位置決めを行う端子位置決め部４２Ａを構成し、端子保持部６１Ｃと端子カバー部７５Ｃとが組み合わせられて、機器端子１１の位置決めを行う端子位置決め部４２Ｃを構成している。そして、リテーナ部４１と３つの端子位置決め部４２Ａ、４２Ｂ、４２Ｃとを除く部分が、３つの編組線１７を保持する編組線保持部４３を構成している。
【００３０】
次に、第１組付部材５１の構成の詳細を説明する。
【００３１】
主壁部５２は、図７に示すように、全体として一方向に長い板状をなし、２つの長辺５２Ｌ１、５２Ｌ２と、２つの短辺とを有している。２つの長辺５２Ｌ１、５２Ｌ２の長さは互いに異なっており、短い方が第１長辺５２Ｌ１であり、長い方が第２長辺５２Ｌ２である。
【００３２】
主壁部５２の一部分は、図４および図５に示すように、ハウジング本体２１の一部（フランジ部２７よりも機器面２３に近接した部分）を覆う第１リテーナ部５４となっている。第１リテーナ部５４は、第１長辺５２Ｌ１に隣接して配されている。第１リテーナ部５４は、主壁部５２の残りの部分に対して外側に膨出しており、図５に示すように、囲み壁部５４Ｓと、抜け止め壁部５４Ｌとを有している。囲み壁部５４Ｓは、ハウジング本体２１の外周面２４に沿って延びる部分であり、抜け止め壁部５４Ｌは、囲み壁部５４Ｓから連なり、機器面２３の周縁部分を覆う部分である。抜け止め壁部５４Ｌは、各端子収容室２５の開口部２５Ｅ１の孔縁よりもやや内側位置まで張り出している。
【００３３】
２つの側壁部５３のそれぞれは、図７に示すように、主壁部５２の２つの短辺のそれぞれから、主壁部５２に対して垂直に立ち上がる板状の部分である。２つの側壁部５３は、互いに向かい合って配置されている。２つの側壁部５３は、垂直部５３Ｖと傾斜部５３Ｔとを有している。垂直部５３Ｖは、第１長辺５２Ｌ１に近接する半分であって、第１長辺５２Ｌ１に対して垂直に延びている。傾斜部５３Ｔは、第２長辺５２Ｌ２に近接する残りの半分であって、第２長辺５２Ｌ２に近づくほど外側（相手側の側壁部５３から離れる方向）に傾いている。
【００３４】
立設壁部５６は、図７に示すように、第１長辺５２Ｌ１から、主壁部５２に対して垂直に立ち上がる壁部である。立設壁部５６は、３つの開口部５６Ａ、５６Ｂ、５６Ｃを有している。３つの開口部５６Ａ、５６Ｂ、５６Ｃのそれぞれは、立設壁部５６の一方の壁面から他方の壁面まで貫通するとともに、立設壁部５６の立ち上り端（第１長辺４２Ｌ２とは反対側の端縁）側に開放された開口部である。３つの開口部５６Ａ、５６Ｂ、５６Ｃのうち１つ（第１開口部５６Ａ）は２つの側壁部５３のうち一方の側壁部５３に近接して配置され、他の１つ（第３開口部５６Ｃ）は他方の側壁部５３に近接して配置され、残りの１つ（第２開口部５６Ｂ）は２つの側壁部５３間の中央に配置されている。
【００３５】
３つの延長部５５Ａ、５５Ｂ、５５Ｃのそれぞれは、図７に示すように、３つの開口部５６Ａ、５６Ｂ、５６Ｃのそれぞれの孔縁から、主壁部５２とは反対側に延びるＵ字溝状の部分である。３つの延長部５５Ａ、５５Ｂ、５５Ｃのうち１つ（第１延長部５５Ａ）は、第１開口部５６Ａの孔縁から延びており、他の１つ（第２延長部５５Ｂ）は、第２開口部５６Ｂの孔縁から延びており、残りの１つ（第３延長部５５Ｃ）は、第３開口部５６Ｃの孔縁から延びている。
【００３６】
真ん中に配置される第２延長部５５Ｂは、図８に示すように、主壁部５２と同一平面上に延びる溝底壁５５Ｂ１と、溝底壁５５Ｂ１に対して垂直に立ち上がり、互いに向かい合って配置される一対の溝側壁５５Ｂ２とを備えている。第１延長部５５Ａ、第３延長部５５Ｃも、詳細には図示しないが、同様に溝底壁と一対の溝側壁とを備えている。第２延長部５５Ｂは、立設壁部５６に対して垂直に延びている。第１延長部５５Ａおよび第３延長部５５Ｃは、それぞれ、立設壁部５６から離れるほど第２延長部５５Ｂから離れる向きに傾いている。
【００３７】
３つの端子保持部６１Ａ、６１Ｂ、６１Ｃのそれぞれは、３つの延長部５５Ａ、５５Ｂ、５５Ｃのそれぞれの延出端に配置される部分である。
【００３８】
３つの端子保持部６１Ａ、６１Ｂ、６１Ｃのうち第２端子保持部６１Ｂは、図８に示すように、第２延長部５５Ｂから連なる部分であって、図５および図８に示すように、内部に機器端子１１のベルマウス１３ＢＭが収容されるベルマウス収容部６２Ｂと、内部にバレル部１３のうちベルマウス１３ＢＭを除く部分が挿通されるバレル挿通部６６Ｂとを備えている。
【００３９】
ベルマウス収容部６２Ｂは、図５および図８に示すように、第１規制壁部６３Ｂと、周壁部６４Ｂと、第２規制壁部６５Ｂとを備えている。
【００４０】
第１規制壁部６３Ｂは、延長部５５Ｂの延出端から外側に延びる板状の部分であって、立設壁部５６と平行に配置されている。第１規制壁部６３Ｂのうち、一対の溝側壁５５Ｂ２のそれぞれから延びる部分は、図８に示すように、それぞれ第１規制側壁６３ＢＳとなっており、一対の第１規制側壁６３ＢＳの間隔は、編組線１７は挿通可能であるがベルマウス１３ＢＭが通過できない大きさとなっている。
【００４１】
周壁部６４Ｂは、図５および図８に示すように、第１規制壁部６３Ｂの延出端から、延長部５５Ｂと反対側に延びるＵ字溝状の部分である。
【００４２】
第２規制壁部６５Ｂは、図５および図８に示すように、周壁部６４Ｂの延出端から内側に、第１規制壁部６３Ｂと平行に延びる板状の部分である。第２規制壁部６５Ｂにおいて、２つの第１規制側壁６３ＢＳと向かい合って配置される部分は、図８に示すように、それぞれ第２規制側壁６５ＢＳとなっており、一対の第２規制側壁６５ＢＳの間隔は、バレル部１３のベルマウス１３ＢＭを除く部分は通過可能であるが、ベルマウス１３ＢＭが通過できない大きさとなっている。
【００４３】
バレル挿通部６６Ｂは、図５および図８に示すように、第２規制壁部６５Ｂの延出端から、ベルマウス収容部６２Ｂと反対側に延びるＵ字溝状の部分であって、内部にバレル部１３のベルマウス１３ＢＭを除く部分を収容可能となっている。
【００４４】
他の端子保持部６１Ａ、６１Ｃのうち第１端子保持部６１Ａは、第１延長部５５Ａから連なる部分であって、第２端子保持部６１Ｂと同様の構成を有している。また、第３端子保持部６１Ｃは、第３延長部５５Ｃから連なる部分であって、第２端子保持部６１Ｂと同様の構成を有している。
【００４５】
３対の絶縁壁５７Ａ、５７Ｂ、５７Ｃは、図７に示すように、主壁部５２の内側面（インバータ端子１０と対向する面）から連なる壁部である。
【００４６】
３対の絶縁壁５７Ａ、５７Ｂ、５７Ｃのうち一対（第２絶縁壁５７Ｂ）は、図７に示すように、２つの側壁部５３間の中央に配置されている。一対の第２絶縁壁５７Ｂのそれぞれは、主壁部５２および溝底壁５５Ｂ１から立ち上がる壁部であって、第１リテーナ部５４から第２延長部５５Ｂの延出端に向かって延びている。一対の第２絶縁壁５７Ｂは、互いに間隔を空けて配置されており、第２長辺５２Ｌ２に対して垂直に延びている。
【００４７】
他の一対（第１絶縁壁５７Ａ）は、２つの側壁部５３のうち一方の側壁部５３に近接して配置されており、第２長辺５２Ｌ２に近づくほど第２絶縁壁５７Ｂから離れるように湾曲している点を除いて、第２絶縁壁５７Ｂと同様の構成を有している。
【００４８】
残りの一対（第３絶縁壁５７Ｃ）は、２つの側壁部５３のうち他方の側壁部５３に近接して配置されており、第２長辺５２Ｌ２に近づくほど第２絶縁壁５７Ｂから離れるように湾曲している点を除いて、第２絶縁壁５７Ｂと同様の構成を有している。
【００４９】
６つのロック受け部５８は、第２組付部材７１との組み付けのための部分である。図７に示すように、６つのロック受け部５８のうち２つは、一方の側壁部５３に沿って配置され、他の２つは、他方の側壁部５３に沿って配置され、残りの２つは、第２絶縁壁５７Ｂを挟んで配置されている。
【００５０】
２つの嵌合突部５９は、ハウジング本体２１との組み付けのための部分である。各嵌合突部５９は、図６に示すように、囲み壁部５４Ｓから連なる突片であって、第１組付部材５１がハウジング本体２１に組み付けられた際に各嵌合受部２８に整合する位置に配置されている。
【００５１】
次に、第２組付部材７１の構成の詳細を説明する。
【００５２】
カバー壁部７２は、第１組付部材５１の主壁部５２とほぼ同様の形状の壁部であって、図４に示すように、主壁部５２と対向して配置される。カバー壁部７２は、第２リテーナ部７３を有している。第２リテーナ部７３は、第１リテーナ部５４と同様の形状であって、図５に示すように、囲み壁部７３Ｓと抜け止め壁部７３Ｌとを有し、第１リテーナ部５４と対向して配置される。
【００５３】
３つの延長カバー部７４Ａ、７４Ｂ、７４Ｃのそれぞれは、図１に示すように、カバー壁部７２から延びる板壁状の部分であって、第２組付部材７１が第１組付部材５１と組み付けられた際に、３つの延長部５５Ａ、５５Ｂ、５５Ｃのそれぞれに整合する位置に配置される。
【００５４】
３つの端子カバー部７５Ａ、７５Ｂ、７５Ｃのそれぞれは、図１に示すように、３つの延長カバー部７４Ａ、７４Ｂ、７４Ｃのそれぞれの延出端に配置される部分である。
【００５５】
３つの端子カバー部７５Ａ、７５Ｂ、７５Ｃのうち第２端子カバー部７５Ｂは、図１および図３に示すように、第２延長カバー部７４Ｂから連なる部分であって、図５に示すように、ベルマウスカバー部７６Ｂと、バレルカバー部７７Ｂとを備えている。ベルマウスカバー部７６Ｂは、第２延長カバー部７４Ｂから連なり、第２延長カバー部７４Ｂを基準として外側に膨出する部分である。バレルカバー部７７Ｂは、ベルマウスカバー部７６Ｂの延出端から第２端子カバー部７５Ｂと反対側に延びる部分である。
他の２つの端子カバー部７５Ａ、７５Ｃのそれぞれも、詳細には図示しないが、第２端子カバー部７５Ｂと同様の構成を有している。
【００５６】
２つの嵌合突部７８は、図６に示すように、囲み壁部７３Ｓから連なる突片であって、第２組付部材７１がハウジング本体２１に組み付けられた際に各嵌合受部２８に整合する位置に配置されている。６つのロック片のそれぞれは、詳細に図示しないが、６つのロック受け部５８と係合する突片である。
【００５７】
ハウジング２０に組付部材４０を組み付ける際には、まず、図７に示すように、第１組付部材５１をハウジング本体２１およびインバータ端子１０に沿わせるようにして組み付ける。ハウジング本体２１の端部が第１リテーナ部５４に嵌まり込み、２つの嵌合突部５９のそれぞれが２つの嵌合受部２８のそれぞれに嵌まり込む。
【００５８】
３本のインバータ端子１０のうち真ん中に配置されたインバータ端子１０の編組線１７が、一対の第２絶縁壁５７Ｂと、主壁部５２の一部および溝底壁５５Ｂ１とによって囲まれた空間の内部に収容される。同様に、一端に配置されたインバータ端子１０の編組線１７が、一対の第１絶縁壁５７Ａと、主壁部５２の一部および延長部５５Ａの溝底壁とによって囲まれた空間の内部に収容される。また、他端のインバータ端子１０の編組線１７が、一対の第３絶縁壁５７Ｃと、主壁部５２の一部および延長部５５Ｃの溝底壁とによって囲まれた空間の内部に収容される。
【００５９】
次に、第２組付部材７１を組み付ける。６つのロック片のそれぞれが、第１組付部材５１の６つのロック受け部５８のそれぞれに係合することにより、第２組付部材７１が第１組付部材５１に組み付けられる。この際、ハウジング本体２１の端部が第２リテーナ部７３に嵌まり込み、２つの嵌合突部のそれぞれが２つの嵌合受部２８のそれぞれに嵌まり込む。
【００６０】
第１組付部材５１と第２組付部材７１とが組み付けられた状態では、第１リテーナ部５４と第２リテーナ部７３とで構成されたリテーナ部４１に、ハウジング本体２１の一部（フランジ部２７よりも機器面２３に近接した部分）が収容されている。そして、抜け止め壁部５４Ｌ、７３Ｌが、各端子収容室２５の機器面２３側の開口縁よりもやや内側位置まで張り出してゴム栓Ｒに当接し、ゴム栓Ｒに接続端子１４のバレル部１６の端縁が突き当たることにより、接続端子１４の端子収容室２５からの離脱が規制されている。
【００６１】
また、３つの端子保持部６１Ａ、６１Ｂ、６１Ｃのそれぞれと、３つの端子カバー部７５Ａ、７５Ｂ、７５Ｃのそれぞれとが組み合わせられて、角筒状に構成された３つの端子位置決め部４２Ａ、４２Ｂ、４２Ｃが構成されている。
【００６２】
真ん中の端子位置決め部４２Ｂの内部には、図５および図８に示すように、真ん中のインバータ端子１０に備えられた機器端子１１のベルマウス１３ＢＭが収容されている。ベルマウス１３ＢＭは、周壁部６４Ｂとベルマウスカバー部７６Ｂとが組み合わせられて構成された、ベルマウス１３ＢＭよりも一回り大きな角筒状の部分に周囲を囲まれるとともに、第１規制壁部６３Ｂと第２規制壁部６５Ｂの間に配置されている。
【００６３】
一対の第１規制側壁６３ＢＳの間隔は、ベルマウス１３ＢＭが通過できない大きさとなっているから、機器端子１１がハウジング２０に近づく方向へ移動しようとした際には、ベルマウス１３ＢＭが一対の第１規制側壁６３ＢＳに突き当たって移動が規制される。また、一対の第２規制側壁６５ＢＳの間隔は、ベルマウス１３ＢＭが通過できない大きさとなっているから、機器端子１１がハウジング２０から離れる方向へ移動しようとした際には、ベルマウス１３ＢＭが一対の第２規制側壁６５ＢＳに突き当たって移動が規制される。このようにして、機器端子１１の位置決めがなされる。
【００６４】
両端のインバータ端子１０に備えられた機器端子１１も同様に、端子位置決め部４２Ａ、４２Ｃによって位置決めされている。
【００６５】
リテーナ部４１と３つの端子位置決め部４２Ａ、４２Ｂ、４２Ｃとを除く部分で構成された編組線保持部４３の内部に、３本のインバータ端子１０の編組線１７が、互いに絶縁された状態で保持されている。
【００６６】
以上のように本実施形態によれば、インバータ用コネクタ１は、インバータ用端子１０と、ハウジング２０と、組み付け部材４０とを備えている。インバータ用端子１０は、機器端子１１および接続端子１４と、可撓性および導電性を有し、機器端子１１と接続端子１４とを繋ぐ編組線１７とを備えている。ハウジング２０は、機器端子１１を内部に収容する端子収容室２５を有し、編組線１７が端子収容室２５から導出された状態でインバータ端子１０を保持している。組付部材４０は、リテーナ部４１と、編組線保持部４３と、３つの端子位置決め部４２Ａ、４２Ｂ、４２Ｃとを備えている。リテーナ部４１は、ハウジング２０に組み付けられて接続端子１４の端子収容室２５からの離脱を規制する部分である。編組線保持部４３は、リテーナ部４１から連なり、３つのインバータ用端子１０に備えられる３つの編組線１７を保持する部分である。３つの端子位置決め部４２Ａ、４２Ｂ、４２Ｃのそれぞれは、編組線保持部４３から連なり、３つのインバータ用端子１０に備えられる３つの機器端子１１のそれぞれに係止することで機器端子１１の位置決めを行う部分である。
【００６７】
上記の構成によれば、組付部材４０によって機器端子１１の位置決めを容易に行うことができる。
【００６８】
３つの機器端子１１のそれぞれのバレル部１３は、編組線１７が接続されている側の端縁に近づくほど外側に拡がるベルマウス１３ＢＭを有しており、各端子位置決め部４２Ａ、４２Ｂ、４２Ｃは、各機器端子１１のベルマウス１３ＢＭに係止している。
【００６９】
上記の構成によれば、各機器端子１１が有するベルマウス１３ＢＭを端子の位置決めに利用できるから、機器端子１１に位置決めのための新たな構成を付加する必要がなく、構造の複雑化を避けることができる。
【００７０】
＜他の実施形態＞
本発明は上記記述及び図面によって説明した実施形態に限定されるものではなく、例えば次のような実施形態も本発明の技術的範囲に含まれる。
（１）上記実施形態では、各端子位置決め部４２Ａ、４２Ｂ、４２Ｃが各機器端子１１のベルマウス１３ＢＭに係止していたが、端子位置決め部が、端子金具のベルマウス以外の部分に係止していても構わない。
【００７１】
（２）上記実施形態では、可撓性導電部材が編組線１７であったが、可撓性導電部材は可撓性および導電性を有する部材であればよく、例えば、撚り線、コイルばねなどであっても構わない。
【００７２】
（３）上記実施形態では、インバータ用コネクタ１が３本のインバータ端子１０を備える３極のコネクタであったが、コネクタが、２極以下、または４極以上であっても構わない。
【００７３】
（４）上記実施形態では、コネクタがインバータケースに組み付けられるインバータ用コネクタ１であったが、他の用途のコネクタであっても構わない。
【符号の説明】
【００７４】
１…インバータ用コネクタ（コネクタ）
１０…インバータ端子（端子）
１１…機器端子（他方の端子金具）
１３ＢＭ…ベルマウス
１４…接続端子（一方の端子金具）
１７…編組線（可撓性導電部材）
２０…ハウジング
２５…端子収容室
４０…組付部材
４１…リテーナ部
４２Ａ、４２Ｂ、４２Ｃ…端子位置決め部
４３…導電部材保持部
【図１】
0006575340.tif 000002
【図２】
0006575340.tif 000003
【図３】
0006575340.tif 000004
【図４】
0006575340.tif 000005
【図５】
0006575340.tif 000006
【図６】
0006575340.tif 000007
【図７】
0006575340.tif 000008
【図８】
0006575340.tif 000009